(57)【要約】      （修正有）【課題】太陽電池パネルの着脱を容易にしかつ安価でどこにでも入手できるコンクリート縁石を利用でき、複数の金具の組み合わせによる太陽電池パネル構造体を提供する。【解決手段】太陽電池パネル支持構造体１は、太陽電池パネル２の低端部を支持する第一の支持部材３と、高端部を支持する第二の支持部材４とからなり、第一の支持部材３は、第一のコンクリート縁石を嵌合しかつ挟持する第一の基礎金具のみからなり、第二の支持部材４は、第一の基礎金具に対向して配設し第二のコンクリート縁石を嵌合しかつ挟持する第二の基礎金具と、上下に長い帯板状の金属板の両端を内角９０度以内に延ばしコ形状とし、上端を太陽電池パネル２の高端部を支持し下端を第二の基礎金具の支持板に固定するコ型金具と、コ型金具に固定するＺ型金具との組み合わせからなることを特徴とする。【選択図】図１
0003195460.tif 000002
【実用新案登録請求の範囲】
【請求項１】
太陽電池パネルを所定の傾斜角で支持する太陽電池パネル支持構造体において、太陽電池パネルの低端部を支持する第一の支持部材と、高端部を支持する第二の支持部材とからなり、
前記第一の支持部材は、第一のコンクリート縁石を嵌合しかつ挟持する第一の基礎金具のみからなり、該第一の基礎金具は前記太陽電池パネルの低端部の外枠を支持するために、前記所定の傾斜角で傾斜する支持板と、前記支持板の低端部から下方に延出し、延出した側部において前記第一のコンクリート縁石を挟持する第一の挟持板と、前記第一のコンクリート縁石の底面を支持し、前記第一の挟持板が挟持する前記第一のコンクリート縁石の面の対向する面を挟持する第二の挟持板と、を備え、
前記第二の支持部材は、前記第一の基礎金具に対向して配設し第二のコンクリート縁石を嵌合しかつ挟持する第二の基礎金具と、上下に長い帯板状の金属板の両端を内角９０度以内に延ばしコ形状としたコ型金具であって、上端を前記太陽電池パネルの高端部を支持し下端を前記第二の基礎金具の前記支持板に固定するコ型金具と、第二のコンクリート縁石の上面において該第二のコンクリート縁石を挟持しかつ前記コ型金具に固定するＺ型金具と、の組み合わせからなる、
太陽電池パネル支持構造体。
【請求項２】
前記第一の基礎金具と前記第二の基礎金具は同一の形状であることを特徴とする請求項１に記載の太陽電池パネル支持構造体。
【考案の詳細な説明】
【技術分野】
【０００１】
本考案は、複数の金具の組み合わせとコンクリート縁石からなる太陽電池パネル支持構造体に関する。
【背景技術】
【０００２】
太陽電池パネルを地上に設置する場合や、建物の屋上、陸屋根などの上に設置する場合、太陽光発電モジュールの発電効率を上げるため、太陽に向かって所定の傾斜を設ける必要がある。通常、所定の傾斜は、太陽電池パネルを取り付ける架台を設置することにより実現されるが、架台は鉄やアルミニウム等のレールを組み合わせて設けられる。また、架台は、風等の風圧荷重で飛ばされたり転倒させられたりしないように架台取り付けのためのコンクリート基礎工事が必要とされる。このように、従来、太陽電池パネルの設置にあたっては、架台用に別途基礎を設けることが一般的である。確かに、上記別途基礎工事を行えば、架台はしっかりと固定され、強風にも耐えられる。しかし、上述の基礎工事について、基礎の製作に部材を必要としまた工事期間も長くコストもかかることである。また、上述の基礎工事を行い、架台をいったん固定すると、該架台の移動や撤去が困難であり、また太陽電池パネルの着脱が容易ではなく、メンテナンスを容易に行うことができないという問題があった。
【０００３】
一方、基礎工事を行わず、コンクリートブロックやサイコロブロックといったコンクリート二次製品にアンカーを取り付け、そこに架台を設置する方式がある。この方式は、既成品にアンカーや架台金具を取り付けるだけで済むため、工期や全体的なコストを大幅に削減できる。また、事業終了後の撤去や環境復元の面においても、ベタ基礎や布基礎の基礎工事をするよりも有利とされている。しかし、既成品でも一個あたりの重量が大きい物を選択しなければならないため、それらの輸送費を考慮すると却って高額になる場合もある。
【０００４】
そこで、本願出願人は、汎用ブロックと簡単な設置金具のみで太陽電池パネルを設置できる太陽電池パネル支持構造体を提案している（実用新案登録第３１６４１４２号公報）。図７に示すように、該太陽電池パネル支持構造体１００は、太陽電池パネル１０２が、該外枠の四方の隅をそれぞれ第一の基礎金具１０３及び第二の基礎金具１０４に保持され、所定の傾斜角をもって支持された構造となっている。そして、第一の基礎金具１０３は、太陽電池パネル１０２の外枠の一方を第一の取付部材１０５により保持し、第二の基礎金具１０４は、該太陽電池パネル１０２の外枠の他方を第二の取付部材１０６により保持している。また、第一の基礎金具１０３及び第二の基礎金具１０４は、それぞれコンクリートブロック１１０ａ、１１０ｂを嵌合又は戴置することにより荷重を得るものである。
【先行技術文献】
【特許文献】
【０００５】
【特許文献１】実用新案登録第３１６４１４２号公報
【考案の開示】
【考案が解決しようとする課題】
【０００６】
上記の本願出願人が提示した太陽電池パネル支持構造体は、優れた構造を備えているが、本考案者はさらにコスト低減のため基礎金具の形状に工夫を試み、さらに複数の金具の組合せによる太陽電池パネル支持構造体の構造を改良した。すなわち、本考案は、太陽電池パネルを太陽電池パネル支持構造体からの着脱を容易にしかつ安価でどこにでも入手できるコンクリート縁石を利用でき、基礎金具の組み合わせによる太陽電池パネル構造体を提供することを目的とする。
【課題を解決するための手段】
【０００７】
上記目的を達成させるために、本考案の太陽電池パネル支持構造体は、太陽電池パネルを所定の傾斜角で支持する太陽電池パネル支持構造体において、太陽電池パネルの低端部を支持する第一の支持部材と、高端部を支持する第二の支持部材とからなり、第一の支持部材は、第一のコンクリート縁石を嵌合しかつ挟持する第一の基礎金具のみからなり、該第一の基礎金具は太陽電池パネルの低端部の外枠を支持するために、所定の傾斜角で傾斜する支持板と、支持板の低端部から下方に延出し、延出した側部において第一のコンクリート縁石を挟持する第一の挟持板と、第一のコンクリート縁石の底面を支持し、第一の挟持板が挟持する第一のコンクリート縁石の面の対向する面を挟持する第二の挟持板とを備え、第二の支持部材は、第一の基礎金具に対向して配設し第二のコンクリート縁石を嵌合しかつ挟持する第二の基礎金具と、上下に長い帯板状の金属板の両端を内角９０度以内に延ばしコ形状としたコ型金具であって、上端を太陽電池パネルの高端部を支持し下端を第二の基礎金具の支持板に固定するコ型金具と、第二のコンクリート縁石の上面において該第二のコンクリート縁石を挟持しかつコ型金具に固定するＺ型金具と、の組み合わせからなることを特徴とする。
【０００８】
また、第一の基礎金具と第二の基礎金具は同一の形状にすると部品点数が減り好適である。
【考案の効果】
【０００９】
本考案の太陽電池パネル構造体によれば、太陽電池パネルが着脱自在であるため、取付け施工が容易となる。また、本考案の基礎金具によれば、基礎金具の寸法は、コンクリート縁石の規格の幅寸法に合わせたものであるため、材料費用及び設置費用が大幅に安価とすることができる。さらに、本考案の基礎金具によれば、構造が簡単であるため、設置、移設または撤去が容易となる。ひいては、設計期間の短縮を図ることが可能になる。
【００１０】
本考案の太陽電池パネル構造体によれば、太陽電池パネルの長手方向の長さや傾斜角に基づいて、組み合わせ金具のうちコ型金具の両端の曲折度合いのバリエーションにより、種々の長さ及び／又は傾斜角の太陽電池パネルの設置に対応することができる。
【図面の簡単な説明】
【００１１】
【図１】本考案に係る太陽電池パネル構造体１を模式的に示す斜視図である。
【図２】本考案に係る太陽電池パネル構造体１の側面図である。
【図３】本考案に係る太陽電池パネルの低端部を受ける第一の支持部材を示す斜視図（ａ）とその側面図（ｂ）である。
【図４】第一の基礎金具の構成を示す斜視図である。
【図５】本考案に係る太陽電池パネルの高端部を受ける第二の支持部材を示す斜視図（ａ）とその側面図（ｂ）である。
【図６】第二の支持部材の構成を示した分解斜視図である。
【図７】従来の太陽電池パネル構造体１００の模式的に示す図である。
【考案を実施するための形態】
【００１２】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限られるものではない。
【実施例１】
【００１３】
実施例１を図面を参照して詳細に説明する。図１は、本考案に係る太陽電池パネル構造体１を模式的に示す斜視図である。図２は、本考案に係る太陽電池パネル構造体１の側面図である。図３は、本考案に係る太陽電池パネルの低端部を受ける第一の支持部材を示す斜視図（ａ）とその側面図（ｂ）である。図４は、第一の基礎金具の構成を示す斜視図である。図５は、本考案に係る太陽電池パネルの高端部を受ける第二の支持部材を示す斜視図（ａ）とその側面図（ｂ）である。図６は、第二の支持部材の構成を示した分解斜視図である。なお、図面において、太陽電池パネル２の受光面の傾斜が下った方を前方として説明する。太陽電池パネルの大半は長方形の形状であり、太陽電池パネルの長手方向が上下になるように架台に取り付ける場合を縦置きと呼び、長手方向が左右に取り付ける場合を横置きと呼ぶ。図１に示すとおり、実施例１では太陽電池パネル２は縦置きに設置されている。しかし、本考案において、太陽電池パネル２は縦置きに限定するものではなく、例示的に示していることに留意されたい。したがって、横置きに設置されてもよい。
【００１４】
図１及び２によると、太陽電池パネル２は、該外枠の四方の隅がそれぞれ第一の支持部材３及び第二の支持部材４に保持され、所定の傾斜角をもって支持されている。第一の支持部材３は、太陽電池パネル２の外枠の低端部を支持しており、第二の支持部材４は、該太陽電池パネル２の外枠の高端部を支持している。また、第一の支持部材３及び第二の支持部材４は、それぞれコンクリート縁石Ｂ１、Ｂ２を嵌合又は戴置することにより荷重を得ている。
【００１５】
図３、４を参照する。第一の支持部材３は第一の基礎金具３１のみからなり、第一の基礎金具３１は、底板３１ａ、支持板３１ｃ、第一の挟持板３１ｂ、第二の挟持板３１ｄとから構成される。図４に示すとおり、第一の支持部材３は、第一のコンクリート縁石Ｂ１を嵌合しかつ挟持しかつ太陽電池パネル２の低端部の外枠を支持する基礎金具３１のみからなり、所定の傾斜角で傾斜する支持板３１ｃと、支持板３１ｃの低端部から下方に延出し、延出した側部において第一のコンクリート縁石Ｂ１を挟持する第一の挟持板３１ｂと、第一の挟持板３１ｂの接地部から略直角に延出し第一のコンクリート縁石Ｂ１の底面を支持する底板３１ａと、該底板３１ａの他端から上方に延出して、第一の挟持板３１ｂが挟持する第一のコンクリート縁石Ｂ１の面に対向する面を挟持する第二の挟持板３１ｄとを備える。第一の基礎金具３１の支持板３１ｃの先端側に太陽電池パネル２の外枠の一方が保持される。また支持板３１ｃは貫通孔３１０を有しており、太陽電池パネル２は締付部材を貫通孔３１０に通して支持板３１ｃに固定することができる。
【００１６】
図５を参照する。第二の支持部材４は、第二の基礎金具４１と、コ型金具４２と、Ｚ型金具４３とから構成される。第二の基礎金具４１は、第一の基礎金具３１と同一の形状で第一の基礎金具３１に対向して配設し第二のコンクリート縁石Ｂ２を嵌合しかつ挟持する。
【００１７】
図６を参照する。図６は、第二の支持部材４の構成を示した分解斜視図である。第二の基礎金具４１は、底板４１ａ、支持板４１ｃ、第一の挟持板４１ｂ、第二の挟持板４１ｄとから構成される。第二の基礎金具４１は、所定の傾斜角で傾斜する支持板４１ｃと、支持板４１ｃの低端部から下方に延出し、延出した側部において第二のコンクリート縁石Ｂ２を挟持する第一の挟持板４１ｂと、第一の挟持板４１ｂの接地部から略直角に延出し第一のコンクリート縁石Ｂ２の底面を支持する底板４１ａと、該底板４１ａの他端から上方に延出して、第一の挟持板４１ｂが挟持する第一のコンクリート縁石Ｂ２の面に対向する面を挟持する第二の挟持板４１ｄとを備える。また支持板４１ｃは貫通孔４１０を備え、締付部材６１、７１により後述するコ型金具４２を支持板４１ｃに固定することができる。なお、第二の基礎金具４１は、第一の基礎金具３１と同一である。
【００１８】
コ型金具４２は、上下に長い帯板状の金属板の両端を対向するように曲折して形成し、基板４２ａと上端４２ｂと下端４２ｃとからなる。上端４２ｂは貫通孔４２２を有し、貫通孔４２２に締付部材を通して太陽電池パネル２の高端部を支持する。下端４２ｃは貫通孔４２０を有し、前述したとおり、締付部材６１、７１により第二の基礎金具の支持板４１ｃに固定することができる。基板４２ａは貫通孔４２１を有し、締付部材６２、７２により後述するＺ型金具４３に固定される。
【００１９】
Ｚ型金具４３は、上下に長い帯板状の金属板の一端を下方に他端を上方に折り曲げて形成する。すなわち、Ｚ型金具４３は、第二のコンクリート縁石Ｂ２の上面に戴置する基板４３ａと、基板４３ａの一端から上方に折り曲げてコ型金具４２に締付部材６２、７２により固定する連結板４３ｂと、基板４３ａの他端から下方に折り曲げて第二のコンクリート縁石Ｂ２を挟持する挟持板４３ｄとを備える。
【００２０】
上述した金具３１、４１、４２、４３は、それぞれ一枚の金属の平板を折り曲げ加工して製作することが好ましい。また、これらの材質はステンレス鋼ＳＵＳ３０４が好ましいが、これに限定されない。太陽電池パネル２の自己荷重及び風圧荷重に耐えることができるものであればよく、たとえば、一般構造用圧延鋼材ＳＳ４００の鋼製溶融亜鉛めっき仕上げ品、ステンレス鋼ＳＵＳ３１６、又はアルミニウム合金製の材質であってもよい。なお、締付部材６１、６２、７１、７２は、タッピングねじでも、ねじとボルトでもよい。
【００２１】
次に、図６を参照しながら、本考案に係る太陽電池パネル支持構造体１の施工方法を説明する。まず、第二の基礎金具４１とコ型金具４２とをボルト６１とナット７１で固定し、第二の支持部材４を組み立てる。次に、太陽電池パネル２を裏返しにして、第一の支持部材３と第二の支持部材４を太陽電池パネル２の所望の位置の既存の孔にボルト等で固定する。支持部材３、４を取り付けた太陽電池パネル２を表向きにし、所望の設置場所に配置する。配置された太陽電池パネル支持構造体１の第一の基礎金具の底板３１ａ、第二の基礎金具の底板４１ａの上にコンクリート縁石Ｂ１、Ｂ２を敷設する。そして、第二の支持部材４において、Ｚ型金具４３をコンクリート縁石Ｂ２の上面に嵌め込み、コ型金具４２にボルト６２とナット７２等で固定する。パネル２を複数敷設する場合は、パネル同士を接続金具で連結固定する。
【００２２】
以上、本考案に係る太陽電池パネル支持構造体１における好ましい実施形態を図示して説明してきたが、本考案の技術的範囲を逸脱することなく種々の変更が可能であることは理解されるであろう。
【産業上の利用可能性】
【００２３】
本考案の太陽電池パネル支持構造体は、一または複数枚の太陽電池パネルを設置固定することができる。太陽電池パネルの種類は問わず、広く適用できる汎用性を有する。
【符号の説明】
【００２４】
１  太陽電池パネル支持構造体
２  太陽電池パネル
３  第一の支持部材
３１  第一の基礎金具
３１ａ  底板
３１ｂ  第一の挟持板
３１ｃ  支持板
３１ｄ  第二の挟持板
４  第二の支持部材
４１  第二の基礎金具
４１ａ  底板
４１ｂ  第一の挟持板
４１ｃ  支持板
４１ｄ  第二の挟持
４２  コ型金具
４２ａ  基板
４２ｂ  上端
４２ｃ  下端
４３  Ｚ型金具
４３ａ  基板
４３ｂ  連結板
４３ｄ  挟持板
Ｂ１  Ｂ２  ブロック縁石
【図１】
0003195460.tif 000003
【図２】
0003195460.tif 000004
【図３】
0003195460.tif 000005
【図４】
0003195460.tif 000006
【図５】
0003195460.tif 000007
【図６】
0003195460.tif 000008
【図７】
0003195460.tif 000009